(57)【要約】【課題】アッテネータの制御量を受信セット本体から重畳して送られてきた制御信号によって制御することができるが、アッテネータを制御する制御信号しか重畳することができず、増幅回路の電源を供給することができず、仮に制御信号とともに電源をも重畳して送った場合には、制御信号とともに重畳した電源電圧も同じく変化してしまうため、増幅回路の電源電圧が変化することにより増幅ゲインや歪特性が変化してしまうという課題があった。【解決手段】分配ユニットの出力端子それぞれに対し、アッテネータの制御を行うための制御信号を出力するマイコンと、増幅回路を駆動するための電源を出力する電源部とを備えた受信システムから、一方にはアッテネータの制御を行うための制御信号を、もう一方には増幅回路を駆動するための電源を別々に重畳して供給する。【選択図】図１
2008193540.tif 000002
【特許請求の範囲】
【請求項１】
アンテナで受信した信号を入力する入力端子と、前記入力端子が入力した信号を抑制するアッテネータと、前記アッテネータが抑制した信号を増幅する増幅回路と、前記増幅回路が増幅した信号を複数に分配する分配回路と、前記分配回路が分配した複数の信号を出力する複数の出力端子とを備えた分配ユニットと、
前記複数の出力端子が出力した信号を入力する複数の入力端子をもったチューナーユニットと、前記チューナーユニットの入力端子を介して前記分配ユニットの前記増幅回路の駆動電源を出力する電源部と、前記チューナーユニットの他の入力端子を介して前記分配ユニットの前記アッテネータの制御信号を出力するマイコンとを備えた受信システムと、
を具備したことを特徴とする分配器システム。
【請求項２】
ＢＳアンテナで受信した信号を入力する入力端子と、前記入力端子が入力した信号を抑制するアッテネータと、前記アッテネータが抑制した信号を増幅する増幅回路と、前記増幅回路が増幅した信号を複数に分配する分配回路と、前記分配回路が分配した複数の信号を出力する複数の出力端子とを備えた分配ユニットと、
前記複数の出力端子が出力した信号を入力する複数の入力端子をもったチューナーユニットと、前記チューナーユニットの入力端子を介して前記分配ユニットの前記増幅回路の駆動電源を出力する第１の電源部と、前記チューナーユニットの他の入力端子を介して前記分配ユニットの前記入力端子経由で前記ＢＳアンテナの駆動電源を出力する第２の電源部と、前記第２の電源部の電源供給を制御するスイッチ回路およびマイコンとを備えた受信システムと、
を具備したことを特徴とする分配器システム。
【請求項３】
前記第１の電源部と第２の電源部の供給電圧が同じ電圧であることを特徴とする請求項２記載の分配器システム。
【発明の詳細な説明】
【技術分野】
【０００１】
本発明は、ＣＡＴＶ放送、地上波放送、ＢＳ放送対応のセットトップボックスやテレビなどを代表とする放送受信機の分配器を搭載した受信装置および、分配機器に関するものである。
【背景技術】
【０００２】
従来の分配器システムでは、アッテネータや増幅回路を備えたものである場合には複数本で構成される接続ケーブルを使用してアッテネータの制御信号や増幅回路の電源供給をおこなっていたが、それを廃止し入力端子、出力端子を介して制御信号を送る例として、車載用ＦＭ受信システム装置がある（例えば特許文献１参照）。図３は前記特許文献１に記載された制御信号を入力端子、出力端子を介して制御信号を送る装置を示すものである。
【０００３】
図３において、アンテナアンプ５０２と受信セット本体５０４は、お互いに出力端子５０３と入力端子５０５とが結合ケーブル５１７によって接続されている。アンテナで受信した信号がアンテナアンプ５０２の入力端子５０１に入力されアッテネータ５０７、増幅回路５０８、コンデンサ５０９を通り出力端子５０３に信号出力され、受信セット本体５０４の入力端子５０５に入力された信号は、増幅回路５１３および検波回路５１５によって信号レベルが検波され、その検波信号は制御回路５１６に入力され適正な信号に制御されたのち、受信セット本体５０４のチョークコイル５１１、入力端子５０５を通って、アンテナアンプ５０２の出力端子５０３へと送られ、アンテナアンプ５０２内のアッテネータ５０７の抑圧量を制御する信号が重畳され送られていた。
【特許文献１】特開平５−２２１７４号公報（第３頁、第１図）
【発明の開示】
【発明が解決しようとする課題】
【０００４】
しかしながら、前記従来の構成では、アッテネータの制御量を受信セット本体から重畳して送られてきた制御信号によって制御することができるが、アッテネータを制御する制御信号しか重畳することができず、増幅回路の電源を供給することができないという課題があった。仮に制御信号とともに電源をも重畳して送ることを試みた場合にも、制御信号とともに重畳した電源電圧も同じく変化してしまうため、増幅回路の電源電圧が変化することにより増幅ゲインや歪特性が変化してしまうという課題があった。
【０００５】
本発明は、前記従来の課題を解決するもので、アッテネータの制御信号とともに増幅回路の電源を供給することができ、制御信号とは独立して増幅回路の電源供給ができ、電源電圧も変化しないことから、アッテネータの適切な制御を行うことができると同時に、安定した良好な増幅ゲイン、歪特性を確保した増幅回路の動作を行うことができる分配器システムを提供することを目的とする。
【課題を解決するための手段】
【０００６】
前記従来の課題を解決するために、本発明の分配器システムは、分配ユニットの出力端子それぞれに対し、アッテネータの制御を行うための制御信号を出力するマイコンと、増幅回路を駆動するための電源を出力する電源部とを備えた受信システムから、一方には分配ユニット内に備えたアッテネータの制御を行うための制御信号を、もう一方には分配ユニット内に備えた増幅回路を駆動するための電源を別々に重畳して供給することを特徴とする。
【発明の効果】
【０００７】
以上のように、本発明の分配器システムは、複数本で構成される接続ケーブルを用いることなく、アッテネータの制御信号とともに増幅回路の電源を供給することができ、制御信号とは独立して増幅回路の電源供給ができ、電源電圧も変化しないことから、アッテネータの適切な制御を行うことができると同時に、安定した良好な増幅ゲイン、歪特性を確保した増幅回路の動作を行うことができる分配器システムを提供することができる。
【発明を実施するための最良の形態】
【０００８】
以下本発明を実施するための最良の形態について、図面を参照しながら説明する。
【０００９】
（実施の形態１）
図１に本発明の実施の形態１における分配器システムのブロック図を示す。図１において、分配器システムは大きく分けて分配ユニット１１と受信システム１２とにより構成される。
【００１０】
アンテナで受信した放送電波を入力する入力端子２１と、分配した信号を出力する出力端子Ａ２２と、出力端子Ｂ２３とを備えた分配ユニット１１は、入力された信号レベルを抑制するアッテネータ１０１と、アッテネータ１０１からの出力信号を増幅する増幅回路１０２と、増幅回路１０２から出力された信号を分配する分配回路１０３と、分配回路１０３で分配後の信号の直流成分をカットするためのコンデンサ１０４とコンデンサ１０５と、駆動電源、或いは、制御信号の直流成分のみを増幅回路１０２、アッテネータ１０１に通過供給させるためのチョークコイル１０６とチョークコイル１０７とで構成される。
【００１１】
また、受信システム１２は、分配ユニット１１の出力端子Ａ２２からの出力信号を入力する入力端子Ａ２４を備えたチューナーユニットＡ２６と、分配ユニット１１の出力端子Ｂ２３からの出力信号を入力する入力端子Ｂ２５を備えたチューナーユニットＢ２７と、分配ユニット１１内のアッテネータ１０１を制御するための制御信号を出力するマイコン２８と、分配ユニット１１内の増幅回路１０２を駆動するための電源を供給する電源部２９とで構成される。
【００１２】
さらに、チューナーユニットＡ２６は、入力端子Ａ２４と、電源部２９から入力した駆動電源の直流成分のみを通過させるチョークコイル１０８と、入力端子Ａ２４から入力した信号の直流成分をカットするコンデンサ１１０と、信号増幅を行う増幅回路１１２と、受信した信号を選局／信号処理するチューナー部１１４とで構成され、チューナーユニットＢ２７は、入力端子Ｂ２５と、マイコン２８から入力した制御信号の直流成分のみを通過させるチョークコイル１０９と、入力端子Ｂ２５から入力した信号の直流成分をカットするコンデンサ１１１と、信号増幅を行う増幅回路１１３と、受信した信号を選局／信号処理するチューナー部１１５とで構成される。
【００１３】
ここで、分配ユニット１１の出力端子Ａ２２と受信システム１２に備えたチューナーユニットＡ２６の入力端子Ａ２４とは、結合ケーブルで接続される場合もあれば、端子おのおのがプラグ、ジャックの構造になっており端子同士が直接接続される場合もあることは問わず、お互いに電気的に接続されるものとする。同じく、分配ユニット１１の出力端子Ｂ２３と受信システム１２に備えたチューナーユニットＢ２７の入力端子Ｂ２５とは、結合ケーブルで接続される場合もあれば、端子おのおのがプラグ、ジャックの構造になっており端子同士が直接接続される場合もあることは問わず、お互いに電気的に接続されるものとする。以上のブロックで、分配器システムが構成される。
【００１４】
以上のように構成された分配器システムについて、図１を用いて動作を説明する。まず、アンテナで受信した放送電波は、分配ユニット１１の入力端子２１より入力され、アッテネータ１０１を通り増幅回路１０２に入力され信号増幅される。このとき、アッテネータ１０１は後で述べる制御信号によって制御され、アンテナで受信した放送電波のレベルが強い場合にはアッテネータ１０１の機能を有効にし、増幅回路１０２に入力される信号レベルを減衰させ、アンテナで受信した放送電波のレベルが適正もしくは弱い場合にはアッテネータ１０１の機能を無効にし、増幅回路１０２に入力される信号レベルを減衰させないように制御されるものとする。
【００１５】
そして、増幅回路１０２で増幅された信号は分配回路１０３に入力されて２分配されおのおのの出力はコンデンサ１０４およびコンデンサ１０５を通過し、出力端子Ａ２２および出力端子Ｂ２３に出力される。出力端子Ａ２２および出力端子Ｂ２３に出力された信号は、分配ユニット１１と接続された受信システム１２内のチューナーユニットＡ２６およびチューナーユニットＢ２７のおのおのの入力端子である入力端子Ａ２４および入力端子Ｂ２５に入力される。入力端子Ａ２４に入力された信号はチューナーユニットＡ２６においてコンデンサ１１０を通過して増幅回路１１２にて信号増幅され、チューナー部１１４に入力されて選局／信号処理される。また、入力端子Ｂ２５に入力された信号はチューナーユニットＢ２７においてコンデンサ１１１を通過して増幅回路１１３にて信号増幅され、チューナー部１１５に入力されて選局／信号処理される。以上の流れにより、アンテナで受信した信号が選局／信号処理される。
【００１６】
次に、分配ユニット１１内のアッテネータ１０１の制御信号および増幅回路１０２の駆動用電源供給について説明する。アッテネータ１０１は、アンテナで受信した放送電波を増幅する増幅回路１０２の前段に配置し、アンテナで受信した放送電波のレベルが強い場合にはアッテネータ１０１の機能を有効にし、増幅回路１０２に入力される信号レベルを減衰させ、アンテナで受信した放送電波のレベルが適正もしくは弱い場合にはアッテネータ１０１の機能を無効にし、増幅回路１０２に入力される信号レベルを減衰させないように制御する。このため、ユーザーの操作指示を受けたマイコン２８はその制御信号をチューナーユニットＢ２７内の直流成分のみを通過させるために配置したチョークコイル１０９を介して入力端子Ｂ２５から出力する。コンデンサ１１１は、この制御信号が増幅回路１１３に影響を与えないように配置するものとする。
【００１７】
入力端子Ｂ２５から出力された制御信号は、分配ユニット１１の出力端子Ｂ２３を介して入力され、直流成分のみを通過させるために配置したチョークコイル１０７を通過してアッテネータ１０１に入力され、アッテネータの減衰を制御する。なお、アッテネータ１０１は、減衰させるか否かを切り替えるタイプの場合もあれば、減衰量をアナログ的に可変できるタイプの場合でもあることは言うまでもない。また、その際の制御信号もＯＮ／ＯＦＦする２値の制御信号の場合もあれば、電圧値を制御情報とする制御信号の場合もある。
【００１８】
一方、分配ユニット１１内の増幅回路１０２の駆動用電源は、受信システム１２内の電源部２９より、チューナーユニットＡ２６内の直流成分のみを通過させるために配置したチョークコイル１０８を介して入力端子Ａ２４から出力し、分配ユニット１１の出力端子Ａ２２を介して入力され、直流成分のみを通過させるために配置したチョークコイル１０６を通過して増幅回路１０２に供給される。なお、コンデンサ１１０はコンデンサ１１１と同様に、電源部２９から供給された直流電源が増幅回路１１２に影響を与えないように配置するものとする。
【００１９】
以上により、マイコン２８からのアッテネータ１０１を制御するための制御信号と、電源部２９から供給する増幅回路１０２の駆動用電源とを、それぞれ別々の入力端子および出力端子を介して供給することによりおのおのの信号同士が影響し合うことなく制御でき、電源供給することが実現できる。
【００２０】
（実施の形態２）
図２に本発明の実施の形態２における分配器システムのブロック図を示す。図２において、分配器システムは大きく分けて分配ユニット１１と受信システム１２とにより構成される。
【００２１】
ＢＳアンテナで受信した放送電波を入力する入力端子２１と、分配した信号を出力する出力端子Ａ２２と、出力端子Ｂ２３とを備えた分配ユニット１１は、直流成分をカットするコンデンサ１１６と、コンデンサ１１６を通過した信号を増幅する増幅回路１０２と、増幅回路１０２から出力された信号を分配する分配回路１０３と、分配回路１０３で分配後の信号の直流成分をカットするためのコンデンサ１０４とコンデンサ１０５と、駆動電源の直流成分のみを増幅回路１０２、入力端子２１に通過供給させるためのチョークコイル１０６とチョークコイル１０７とで構成される。
【００２２】
また、受信システム１２は、分配ユニット１１の出力端子Ａ２２からの出力信号を入力する入力端子Ａ２４を備えたチューナーユニットＡ２６と、分配ユニット１１の出力端子Ｂ２３からの出力信号を入力する入力端子Ｂ２５を備えたチューナーユニットＢ２７と、分配ユニット１１の入力端子２１に接続されたＢＳアンテナへ電源供給するための電源部Ｂ３１と、電源部Ｂ３１の出力をオン／オフするためのスイッチ回路３０と、スイッチ回路３０の制御するマイコン２８と、分配ユニット１１内の増幅回路１０２を駆動するための電源を供給する電源部Ａ２９とで構成される。
【００２３】
さらに、チューナーユニットＡ２６は、入力端子Ａ２４と、電源部Ａ２９から入力した駆動電源の直流成分のみを通過させるチョークコイル１０８と、入力端子Ａ２４から入力した信号の直流成分をカットするコンデンサ１１０と、信号増幅を行う増幅回路１１２と、受信した信号を選局／信号処理するチューナー部１１４とで構成され、チューナーユニットＢ２７は、入力端子Ｂ２５と、電源部Ｂ３１から入力した駆動電源の直流成分のみを通過させるチョークコイル１０９と、入力端子Ｂ２５から入力した信号の直流成分をカットするコンデンサ１１１と、信号増幅を行う増幅回路１１３と、受信した信号を選局／信号処理するチューナー部１１５とで構成される。
【００２４】
ここで、分配ユニット１１の出力端子Ａ２２と受信システム１２に備えたチューナーユニットＡ２６の入力端子Ａ２４とは、結合ケーブルで接続される場合もあれば、端子おのおのがプラグ、ジャックの構造になっており端子同士が直接接続される場合もあることは問わず、お互いに電気的に接続されるものとする。同じく、分配ユニット１１の出力端子Ｂ２３と受信システム１２に備えたチューナーユニットＢ２７の入力端子Ｂ２５とは、結合ケーブルで接続される場合もあれば、端子おのおのがプラグ、ジャックの構造になっており端子同士が直接接続される場合もあることは問わず、お互いに電気的に接続されるものとする。以上のブロックで、分配器システムが構成される。
【００２５】
以上のように構成された分配器システムについて、図２を用いて動作を説明する。まず、ＢＳアンテナで受信した放送電波は、分配ユニット１１の入力端子２１より入力され、コンデンサ１１６を通り増幅回路１０２に入力され信号増幅される。
【００２６】
そして、増幅回路１０２で増幅された信号は分配回路１０３に入力されて２分配されおのおのの出力はコンデンサ１０４およびコンデンサ１０５を通過し、出力端子Ａ２２および出力端子Ｂ２３に出力される。出力端子Ａ２２および出力端子Ｂ２３に出力された信号は、分配ユニット１１と接続された受信システム１２内のチューナーユニットＡ２６およびチューナーユニットＢ２７のおのおのの入力端子である入力端子Ａ２４および入力端子Ｂ２５に入力される。入力端子Ａ２４に入力された信号はチューナーユニットＡ２６においてコンデンサ１１０を通過して増幅回路１１２にて信号増幅され、チューナー部１１４に入力されて選局／信号処理される。また、入力端子Ｂ２５に入力された信号はチューナーユニットＢ２７においてコンデンサ１１１を通過して増幅回路１１３にて信号増幅され、チューナー部１１５に入力されて選局／信号処理される。以上の流れにより、アンテナで受信した信号が選局／信号処理される。
【００２７】
次に、分配ユニット１１を介して入力端子２１に接続されたＢＳアンテナへの電源供給および、増幅回路１０２の駆動用電源供給について説明する。分配ユニット１１の入力端子２１に接続されるＢＳアンテナは、通常アンテナのコンバータ部を駆動するための電源供給（通常、＋１５Ｖ）する必要があり、この電源供給を受信システム１２にて生成し分配ユニット１１を介して供給する。受信システム１２内の電源部Ｂにてアンテナのコンバータ部を駆動するための電源を生成し、スイッチ回路３０を通したのちにチューナーユニットＢ２７内の直流成分のみを通過させるために配置したチョークコイル１０９を介して入力端子Ｂ２５から出力する。コンデンサ１１１は、電源部Ｂ３１から供給されスイッチ回路３０を通ってきた直流電源が増幅回路１１３に影響を与えないように配置するものとする。
【００２８】
入力端子Ｂ２５から出力した直流電源は、分配ユニット１１の出力端子Ｂ２３を介して入力され、直流成分のみを通過させるために配置したチョークコイル１０７を通過して入力端子２１を介し、入力端子２１に接続されたＢＳアンテナのコンバータ部へと電源供給される。なお、コンデンサ１１６は、出力端子Ｂ２３を介して入力され、チョークコイル１０７を通過してきた直流電源が増幅回路１０２に影響を与えないように配置するものとする。また、ＢＳアンテナのコンバータ部を駆動するための電源供給は、個別受信環境の場合など受信システム１２より供給する必要がある場合には、ユーザー操作の指示によりマイコン２８より出力する制御信号によりスイッチ回路３０をオンして電源部Ｂ３１からの直流電源を通過させるが、マンションや集合住宅等の共同受信システムの環境においては、ブースター等からコンバータ部を駆動する電源が供給されるため、分配ユニット１１の入力端子２１から直流電源供給を停止させる必要があり、その場合にはユーザー操作の指示によりマイコン２８より出力する制御信号によりスイッチ回路３０をオフして電源部Ｂ３１からの直流電源を阻止し、最終的に入力端子２１に直流電源を出力しないようにする。
【００２９】
一方、分配ユニット１１内の増幅回路１０２の駆動用電源は、受信システム１２内の電源部Ａ２９より、チューナーユニットＡ２６内の直流成分のみを通過させるために配置したチョークコイル１０８を介して入力端子Ａ２４から出力し、分配ユニット１１の出力端子Ａ２２を介して入力され、直流成分のみを通過させるために配置したチョークコイル１０６を通過して増幅回路１０２に供給される。なお、コンデンサ１１０はコンデンサ１１１と同様に、電源部Ａ２９から供給された直流電源が増幅回路１１２に影響を与えないように配置するものとする。
【００３０】
以上により、電源部Ｂ３１から供給する入力端子２１に接続されたＢＳアンテナのコンバータ部を駆動するための駆動用電源（＋１５Ｖ）と、電源部Ａ２９から供給する増幅回路１０２の駆動用電源とを、それぞれ別々の入力端子および出力端子を介して供給することによりおのおのの信号同士が影響し合うことなく異なった電源電圧を供給することが実現できる。
【００３１】
（実施の形態３）
実施の形態３について、実施の形態２の説明に用いた図２を用いて説明する。分配ユニット１１と受信システム１２とをそれぞれの入力端子と出力端子を接続する際に、誤って接続する（出力端子Ａ２２と入力端子Ｂ２５と接続し、出力端子Ｂ２３と入力端子Ａ２４とを接続してしまう）場合があり、その場合、電源部Ｂ３１で生成されたアンテナのコンバータ部の駆動用電源が、出力端子Ａ２２を介してチョークコイル１０６を通過して増幅回路１０２に印加される。一方、電源部Ａ２９で生成された増幅回路１０２の駆動用電源が、出力端子Ｂ２３を介してチョークコイル１０７を通過して入力端子２１に接続されたアンテナのコンバータ部へ印加されることになる。
【００３２】
正常なシステムの動作には反するが、製造上の組み立ての際等で、おのおのの回路に規定外の電圧が印加され破壊しないように、電源部Ａ２９の電圧をアンテナのコンバータ部の駆動用電源の電圧（通常＋１５Ｖ）にし、増幅回路１０２の駆動用電源の電圧をもアンテナのコンバータ部の駆動用電源の電圧（通常＋１５Ｖ）と同じ電圧で駆動できるようにする。
【産業上の利用可能性】
【００３３】
本発明の分配器システムは、複数本で構成される接続ケーブルを用いることなく、アッテネータの制御信号とともに増幅回路の電源を供給することができ、制御信号とは独立して増幅回路の電源供給ができ、電源電圧も変化しないことから、アッテネータの適切な制御を行うことができると同時に、安定した良好な増幅ゲイン、歪特性を確保した増幅回路の動作を行うことができる分配器システムを提供することができ、ＣＡＴＶ放送、地上デジタル放送対応のセットトップボックスやテレビなどを代表とする放送受信機のデュアルチューナーを搭載した受信装置の分配器システムとして有用である。
【図面の簡単な説明】
【００３４】
【図１】本発明の実施の形態１による分配器システムのブロック図
【図２】本発明の実施の形態２及び３による分配器システムのブロック図
【図３】従来技術による分配器システムのブロック図
【符号の説明】
【００３５】
１１    分配ユニット
１２    受信システム
２１    入力端子
２２    出力端子Ａ
２３    出力端子Ｂ
２４    入力端子Ａ
２５    入力端子Ｂ
２６    チューナーユニットＡ
２７    チューナーユニットＢ
２８    マイコン
２９    電源部、電源部Ａ
３０    スイッチ回路
３１    電源部Ｂ
１０１    アッテネータ
１０２    増幅回路
１０３    分配回路
１０４    コンデンサ
１０５    コンデンサ
１０６    チョークコイル
１０７    チョークコイル
１０８    チョークコイル
１０９    チョークコイル
１１０    コンデンサ
１１１    コンデンサ
１１２    増幅回路
１１３    増幅回路
１１４    チューナー部
１１５    チューナー部
１１６    コンデンサ
【図１】
2008193540.tif 000003
【図２】
2008193540.tif 000004
【図３】
2008193540.tif 000005